(57)【要約】【課題】釣糸放出位置にあるピックアップピンを釣り糸巻き取り位置に容易に切換え操作することを可能にするクローズドフェースリールを提供する。【解決手段】本発明は、ハンドル回転で連動回転するロータ３０に、釣糸をスプール３に案内するピックアップピン３５が出没可能に装着され、リール本体２に設けた操作部材４３の操作でピックアップピン３５の先端部を、ロータ３０の外周面より径方向外方に突出する釣糸巻き取り位置からロータ外周面から突出しない釣糸放出位置に切換え可能としたクローズドフェースリールにおいて、釣糸放出位置にあるピックアップピン３５を、リール本体に設けられた操作部材４３の操作で釣糸巻き取り位置に切換え可能としたことを特徴とする。【選択図】    図１
2005102524.tif 000002
【特許請求の範囲】
【請求項１】
ハンドル回転で連動回転する回転軸の先端部に取り付けられたロータに、釣糸をスプールに案内するピックアップピンが前記回転軸に直交する方向に移動可能に装着され、リール本体に設けた操作部材の操作で前記ピックアップピンの先端部を、前記ロータの外周面より径方向外方に突出する釣糸巻き取り位置からロータ外周面から突出しない釣糸放出位置に切換え可能としたクローズドフェースリールにおいて、
釣糸放出位置にある前記ピックアップピンを、リール本体に設けられた操作部材の操作で釣糸巻き取り位置に切り換え可能としたことを特徴とするクローズドフェースリール。
【発明の詳細な説明】
【技術分野】
【０００１】
本発明は、ハンドル回転で連動回転するロータの外周に、釣糸をスプールに案内するピックアップピンを出没自在に設けると共に、前記スプール及びロータを覆うカバーを備えたクローズドフェースリールに関する。
【背景技術】
【０００２】
一般的に、上記したタイプのクローズドフェースリールは、例えば、特許文献１及び特許文献２に開示されているように、リール本体の後部に設けたプッシュボタンの押込み操作や、脚部に設けたレバーの引き上げ操作等によって、先端部にロータが固定された回転軸を前方側にシフトさせるように構成されている。このように、回転軸が上記した操作によって前方側にシフトされると、ロータの外周にバネ力に抗して径方向外方に突出するように装着されたピックアップピンの突出規制状態が解除されて、バネ力によってピックアップピンがロータ内側に入り込む状態（クラッチＯＦＦ状態）に移行され、釣糸が放出可能となる。
【０００３】
そして、ハンドルの回転操作でロータが回転操作されることにより、ピックアップピンがロータ外周の径方向外方に突出されてクラッチＯＮ状態に自動的に切り換えられる。すなわち、実際の魚釣り時では、クラッチＯＦＦ状態で所定のポイントへ釣糸を放出した後、ハンドルを巻き取り方向に回転してクラッチＯＮ状態（ピックアップピン突出状態）にし、魚の当たりを待つ態勢となる。
【特許文献１】実公昭５９−２００５８号公報
【特許文献２】実公平４−２５９７２号公報
【発明の開示】
【発明が解決しようとする課題】
【０００４】
ところが、場合によっては、釣糸を放出している段階で（仕掛けの繰り出し中や仕掛け着水時等）魚が食い付くことがあり、この場合、釣人は咄嗟にハンドルを巻き取り回転操作してクラッチをＯＮにした後、竿の合わせ操作を行なう必要がある。この一連の操作は非常にやり難く、魚の食い付きに対してタイムリーな合わせ操作が容易に行なえず、釣果に影響を及ぼす問題がある。
【０００５】
本発明は、このような問題に着目してなされたものであり、釣糸放出位置にあるピックアップピンを釣り糸巻き取り位置に容易に切換え操作することを可能にするクローズドフェースリールを提供することを目的とする。
【課題を解決するための手段】
【０００６】
上記した課題を解決するために、本発明に係るクローズドフェースリールは、ハンドル回転で連動回転する回転軸の先端部に取り付けられたロータに、釣糸をスプールに案内するピックアップピンが前記回転軸に直交する方向に移動可能に装着され、リール本体に設けた操作部材の操作で前記ピックアップピンの先端部を、前記ロータの外周面より径方向外方に突出する釣糸巻き取り位置からロータ外周面から突出しない釣糸放出位置に切換え可能とした構成において、釣糸放出位置にある前記ピックアップピンを、リール本体に設けられた操作部材の操作で釣糸巻き取り位置に切換え可能としたことを特徴とする。
【０００７】
上記した構成では、リール本体に設けられた操作部材を操作することで、クラッチＯＦＦ（ピックアップピンがロータ内に没した状態）にし、この状態で仕掛けの放出操作を行なう。そして、仕掛け放出中に魚が食い付いたような場合、リール本体を握持している手の指によって操作部材を操作することにより、直ちにクラッチＯＮ状態への切換えが行なえる。このため、素早い竿の合わせ操作が確実かつ容易に行なえるようになる。
【発明の効果】
【０００８】
本発明によれば、リール本体を握持している手の指でクラッチの切換え操作が行なえるため、釣糸放出状態で魚が食い付いても、手の指を動かすという簡単な操作でクラッチＯＮ状態に素早く切換え操作でき、素早い竿の合わせ操作を確実かつ容易に行なえ、釣果の向上が図れる。
【発明を実施するための最良の形態】
【０００９】
図１〜図６は、本発明に係るクローズドフェースリールの第１の実施形態を示す図であり、図１は、釣糸巻き取り時における内部構成を示す図、図２は、図１のＡ−Ａ線に沿った断面図、図３は、操作部材を引き上げ操作した際の内部構成を示す図、図４は、図３のＢ−Ｂ線に沿った断面図、図５は、操作部材を初期位置に戻した際の内部構成を示す図、そして、図６は、操作部材を押し下げ操作した際の内部構成を示す図である。
【００１０】
クローズドフェースリール１のリール本体２には、前方に向けて突出するスプール支持筒２ａが形成されており、その外周側には、釣糸が巻回されるスプール３が回転可能に支持されている。なお、スプール支持筒２ａの外周には、雄ネジ部２ｂが形成されており、ここに螺合される抜け止め部材５によってスプール３は抜け止めされている。また、この雄ネジ部２ｂの外周には、制動装置７が配設されており、釣糸が繰り出された際にスプール３に対して所定の制動力を付与するようになっている。
【００１１】
前記リール本体２内には、回転操作されるハンドル（図示せず）を装着したハンドル軸１０が回転可能に支持されており、そこにはフェースギヤ１１が取り付けられている。また、リール本体２内には、一対の軸受１３を介して前記ハンドル軸と直交する方向に延出する筒軸（回転軸）１５が回転可能に支持されており、この筒軸の基端側には、前記フェースギヤ１１と噛合するようにピニオン１５ａが形成されている。
【００１２】
前記筒軸１５とリール本体２との間には、前記一対の軸受間において、筒軸１５を一方向のみに回転可能とするように一方向クラッチ１７が設けられている。また、リール本体２には、筒軸１５内に挿通するように、摺動軸２０が軸方向に移動可能で、かつ回転不能となるように設けられており、その後端部には、クラッチ付勢バネ２２が配設されて、摺動軸２０を、常時、後方側に向けて付勢している。
【００１３】
この摺動軸２０の前方側には、後述するピックアップピンを強制的に釣糸巻き取り位置から釣糸放出位置に切換える切換え部材２５が固定されている。この切換え部材２５は、略円錐台形状に形成されており、その前方側となる表面２５ａにおいて、釣糸放出操作時に、後述するカバー部材の内面との間で釣糸Ｓを挟持するように構成されている。また、裏面２５ｂの中央領域には、凹所２５ｃが形成されており、釣糸巻き取り操作時において、以下に述べるロータ固定用のナットが位置するように構成されている。
【００１４】
前記筒軸１５の先端側には、スプール側に開口する蓋状に形成されたロータ３０が、ナット３１によって筒軸１５と一体回転且つ軸方向に移動不能となるように取り付けられており、ハンドルを回転操作することで、前記フェースギヤ１１及びピニオン１５ａを介して、その円周壁３０ａがスプール３の周りを回転するようになっている。なお、ロータ３０の中央領域には、凹所３０ｃが形成されており、釣糸巻き取り操作時に、この凹所内に前記切換え部材２５が位置するように構成されている。
【００１５】
前記ロータ３０の円周壁３０ａには、その表面から出没自在となるように、ピックアップピン３５が配設されている。  
本実施形態におけるピックアップピン３５は、ロータ内に位置する本体部３５ａと、円周壁３０ａに形成された孔３０ｄ内に位置し、釣糸をピックアップするピン３５ｂとによって構成されており、本体部３５ａには径方向に延出する長孔３５ｃが形成されている。そして、この長孔３５ｃには、ロータ３０の前面壁３０ｂに螺入される支持ネジ３６が配設されており、これにより、ピックアップピン３５は、径方向（筒軸１５と直交する方向）に移動可能となるようにロータ３０に支持されている。
【００１６】
前記本体部３５ａの両側には、前記凹所３０ｃを規定する壁部３０ｅを囲繞するようにリング形状のプレート３７が配置されており、本体部３５ａは、その両側において、プレート３７に形成された保持部３７ａによって挟着保持されている。前記プレート３７は、ピックアップピン３５が保持される位置から両側略９０°の位置で、引張バネ３８によって、回転軸に対して直交する方向（前記長孔３５ｃ方向）にスライド可能となるように支持されている。すなわち、図２及び図４に示すように、ロータ３０の前面壁３０ｂの両サイドに形成された厚肉部３０ｆに、それぞれ一端が固定され、各他端が前記プレート３７の突部３７ｂに固定された引張バネ３８の伸縮によって、プレート３７は、回転軸に対して直交する方向にスライドされるようになっている。
【００１７】
この場合、厚肉部３０ｆには、突部３７ｂの上下位置を規制するための凹状切欠き３１が形成されており、引張バネ３８によってプレート３７が引き上げられた状態では、上方規制部３１ａに当て付く（このとき、ピックアップピン３５のピン３５ｂは、ロータ３０の外周面から所定量突出した状態が維持される；クラッチＯＮ状態）。また、プレート３７が、上記した切換え部材２５によって、強制的に下方にスライドされた状態では、下方規制部３１ｂに当て付く（このとき、ピックアップピン３５のピン３５ｂは、ロータ３０内部に没した状態となる；クラッチＯＦＦ状態）。
【００１８】
また、前記プレート３７の下端位置には、前方側かつロータの径方向内方へ向けて延設された傾斜舌片３７ｃが形成されており、この傾斜舌片３７ｃは、前記壁部３０ｅの下端領域に形成された切欠き３０ｇを介して前方側に露出しており、前記切換え部材２５が前方に向けて移動された際、その表面２５ａと面接触して、その傾斜関係により、プレート３７を下方に押し下げる役目を有している。
【００１９】
また、リング状のプレート３７に一体形成された傾斜舌片３７ｃの先端部には、水平方向に折り曲げられた押し下げ面３７ｄが形成されており、この押し下げ面３７ｄが摺動軸２０と共に前方に移動された切換え部材２５の外周面２５ｄに乗り上がるように構成されている。なお、外周面２５ｄに押し下げ面３７ｄが乗り上がる際、プレート３７は、切換え部材２５の表面２５ａと面接触して前記引張バネ３８の付勢力に抗して下方に押し下げられ、この状態でピックアップピン３５は、図３及び図４に示すように、ロータ内に没した状態が維持される。
【００２０】
前記リール本体２の前方側には、スプール３及びロータ３０を覆うと共に、前方において釣糸Ｓを導出するための釣糸挿通孔４０ａが形成されたカバー部材４０が着脱可能に配設されている。この場合、スプール３に巻回された釣糸Ｓは、ロータ３０の円周壁３０ａとカバー部材４０の内面との間の隙間を通って釣糸挿通孔４０ａから導出される。
【００２１】
前記リール本体２には、支軸４２を介してクラッチ操作レバー（以下、操作部材）４３が回動可能に軸支されている。この操作部材４３の一端側は、リール本体の支軸部分から前方に向けて延出しており、その端部に釣竿を握持した状態で操作可能な操作部４３ａが形成されている。また、操作部材４３の他端側は、支軸部分からリール本体内に延出しており、その端部に上記した摺動軸２０の後端に突設されたピン部材２０ａに嵌る切欠き溝４３ｂが形成されている。
【００２２】
そして、前記リール本体２には、操作部材４３の端部と協働する当て付け機構５０が設けられている。この当て付け機構５０は、操作部材４３を引き上げ操作、及び押し下げ操作した際に駆動されるようになっており、操作部材４３を離した際にクラッチＯＦＦ状態を維持する機能を有する。以下、この当て付け機構５０の構成について説明する。
【００２３】
当て付け機構５０は、屈曲されたＬ字状の回動部材５１を備えており、その中心部で支軸５１ａによって回動可能に支持され、一方の片５２、及び、他方の片５３が、それぞれ当て付け部及び回動操作部として、交互に機能するべく構成されている。一方の片５２には、操作部材４３の後端面４３ｃが当接され、他方の片５３には、操作部材４３の係合部４３ｄが係合可能となっている。なお、操作部材４３の後端面４３ｃと係合部４３ｄとの間には、上記したピン部材２０ａに嵌る切欠き溝４３ｂが形成されており、操作部材４３の回動操作（引き上げ操作／押し下げ操作）は、直接、摺動軸２０に作用するようになっている。
【００２４】
また、前記した回動部材５１は、振り分けバネ５５によって、図１に示す位置と図３に示す位置との間で振り分け保持されるようになっており、その振り分け位置は、一方の片５２、及び他方の片５３が、それぞれリール本体２の規制面２ｅ，２ｆに当て付くことによって、その回動が規制され、振り分け保持される。
【００２５】
なお、振り分けバネ５５の付勢力は、前記付勢バネ２２の付勢力よりも大きく設定されている。また、上記した当て付け機構５０の回動部材５１と、摺動軸２０と共に移動する切換え部材２５の下面２５ｄが乗り上がる押し下げ面３７ｄとは、操作部材４３を一旦引き上げ操作して、指を離した際、切換え部材２５の下面２５ｄが押し下げ面３７ｄに乗ったままで、後端面４３ｃが回動部材５１の一方の片５２に当て付くように設定されている（振り分けバネ５５の付勢力＞付勢バネ２２の付勢力のため、後端面４３ｃの一方の片５２に対する当て付け状態は維持される；クラッチＯＦＦ状態の維持）。
【００２６】
以上のように構成されたクローズドフェースリールの作用効果について説明する。  
図１は、釣糸巻き取り可能状態であり、釣糸Ｓは、ピックアップピン３５のピン３５ｂに係止され、ロータ３０が回転駆動されることによって、スプール３に巻回される状態となっている。このとき、ピックアップピン３５のピン３５ｂは、引張バネ３８による付勢力によってロータ３０の円周壁３０ａの表面から突出した状態に維持されている。また、このとき、ピックアップピンの本体部３５ａは、切換え部材２５の外周から離間した位置に保持しておくことが可能となり、これにより、釣糸巻き取り操作しても、ピックアップピン３５に摩擦抵抗力が作用することなく、軽快な巻き取り操作が行えるようになる。
【００２７】
そして、この状態から、操作部材４３の操作部４３ａを引き上げて回動操作すると、操作部材４３は、時計回り方向に回動され、図３に示すように、摺動軸２０は付勢バネ２２の付勢力に抗してスプール側に移動される。このとき、操作部材４３の係合部４３ｄが回動部材５１の他方の片５３に当接しながら回動部材５１を回動（図１において反時計回り方向）させ、一方の片５２を、釣糸放出状態を維持する位置へ回動させる（図３参照）。また、これに伴い、切換え部材２５も一体的に移動され、その表面２５ａがプレートの傾斜舌片３７ｃと面接触するようになり、その傾斜関係により、プレート３７を下方に押し下げると共に、最終的に、切換え部材２５の外周面２５ｄに傾斜舌片３７ｃの押し下げ面３７ｄが乗り上げる。
【００２８】
このとき、プレート３７は、引張バネ３８の付勢力に抗して押し下げられた状態にあり、ロータ３０の円周壁３０ａから突出した状態にあるピン３５ｂは、強制的に釣糸放出位置となるロータ３０の内部に沈み込み、その状態が維持される。なお、切換え部材２５は釣糸挟持機能を備えていることから、釣糸Ｓは、切換え部材の表面２５ａとカバー部材４０の内面との間で挟持された状態で、釣糸挿通孔４０ａから導出される。
【００２９】
この状態で、釣竿をキャスティングしながら操作部材４３の操作部４３ａから指を離すと、釣糸の挟持状態が解消されて、仕掛けが放出される。このとき、摺動軸２０及び操作部材４３は、付勢バネ２２の付勢力によって、図５に示す状態に戻されており、切換え部材２５は、その外周面２５ｄに押し下げ面３７ｄが乗ったままで、操作部材４３の後端面４３ｃが回動部材５１の一方の片５２に当て付き、その状態が維持されている（釣糸放出状態が維持される）。
【００３０】
そして、この状態で、操作部材４３の操作部４３ａを押し下げ操作すると、摺動軸２０は、リール本体側に移動され、切換え部材２５の外周面２５ｄは、押し下げ面３７ｄから外れる（図６参照）。このとき、ピックアップピン３５は、プレート３７に固定された引張バネ３８の付勢力により、プレート３７と共に押し上げられ、これと共に回動部材５１は、一方の片５２に当て付いている操作部材４３の後端面４３ｃにより回動されて、図１に示す釣糸巻き取り状態に振り分け保持される。
【００３１】
上記した構成によれば、リール本体２に設けられた操作部材４３を操作してクラッチＯＦＦ（ピックアップピンがロータ内に没した状態）にし、仕掛けの放出操作を行なっているときに魚が食い付いたとしても、リール本体を握持している手の指で、そのまま操作部材４３を押し下げ操作することで、直ちにクラッチＯＮ状態へ切換えることが可能となる。このため、仕掛けの放出中であっても、迅速にクラッチＯＮに切換えて、素早い竿の合わせ操作を確実かつ容易に行なえるようになる。
【００３２】
また、ロータ外周面より径方向外方に突出する方向に付勢されたピックアップピン３５を、リール本体に設けた操作部材４３の操作によって、ロータ外周面から突出しない釣糸放出位置に付勢力に抗して強制的に切換えるようにしているため、ロータ外周面からのピックアップピン３５の突出量が常時安定するようになり、この結果、巻き取り操作時における釣糸のピックアップ不良が確実に防止できる。また、ロータ外周面から突出しているピックアップピン３５は、切換え部材２５によって強制的に釣糸放出位置に切換えられるため、釣糸によってピックアップピンに負荷が加わっている場合でも、確実にロータ外周面からピックアップピンを引っ込めることができ、釣糸が放出できなくなる問題を回避することが可能となる。
【００３３】
さらに、釣糸巻き取り操作時におけるロータ回転時において、ピックアップピン３５の本体部３５ａを切換え部材等に対して、接触しないように離間保持させることが可能となるため、ハンドル巻き取り操作時に、ピックアップピンに摩擦抵抗が加わることがなくなって、ハンドルの軽快な巻き取り操作が行なえると共に、ピックアップピンが磨耗することも防止できる。
【００３４】
本発明は、クラッチＯＦＦ状態からクラッチＯＮ状態への切換えを、リール本体に設けた操作部材の操作によって行なえるように、すなわち、リール本体を握持している手の指で行なえるように構成されたものであれば良く、リールの全体構成や、操作部材の構成については、適宜変形することが可能である。以下、本発明の別の実施形態について説明する。なお、以下に説明する実施形態では、前記した実施形態と同様な機能を有する部分については、同一の参照符号を付し、その詳細な説明については省略する。
【００３５】
図７〜図１２は、本発明に係るクローズドフェースリールの第２の実施形態を示す図であり、図７は、釣糸巻き取り時における内部構成を示す図、図８は、図７のＣ−Ｃ線に沿った断面図、図９は、操作部材を引き上げ操作した際の内部構成を示す図、図１０は、図９のＤ−Ｄ線に沿った断面図、図１１は、操作部材を初期位置に戻した際の内部構成を示す図、そして、図１２は、操作部材を押し下げ操作した際の内部構成を示す図である。
【００３６】
この実施形態は、ピックアップピン３５のロータからの出没動作を、振り分けバネを利用して行なうように構成したものである。
【００３７】
図７に示すように、上記した実施形態と同様に摺動軸２０の前端部に固定される切換え部材２５の後端面側には、リール本体側に向かって下方に傾斜する傾斜案内面（カム面）２５ｅが形成されている。このカム面２５ｅは、切換え部材２５が付勢バネ２２の付勢力によって後方に移動された際、その移動途中でロータ内に没した状態にあるピックアップピン３５の本体部３５ａと係合可能であり、さらに強制的に摺動軸２０を後方に移動させることで、そのカム面２５ｅにより、本体部３５ａを上方に押し上げできるように構成されている。なお、ピックアップピン３５は、上記した第１実施形態と同様、リング状のプレート３７によって保持されている。
【００３８】
この場合、プレート３７は、ピックアップピン３５が保持される位置から両側略９０°の位置で、振り分けバネ４８によって回転軸に対して直交する方向（長孔３５ｃ方向）に移動可能となるように支持されている。すなわち、図８及び図１０に示すように、ロータ３０の前面壁３０ｂの両サイドに形成された厚肉部３０ｆに、それぞれ一端が固定され、各他端が前記プレート３７に固定された振り分けバネ４８によって、プレート３７は、回転軸に対して直交する方向で２つの位置で振り分け保持されるようになっている。なお、振り分け保持される位置は、振り分けバネのデッドポイントを境にして、ピックアップピン３５の本体部３５ａが前記切換え部材のカム面２５ｅの外周から所定間隔をおいて離間する位置（図８参照）と、係合可能な位置（図１０参照）に設定される。すなわち、本体部３５ａが前記カム面２５ｅから所定間隔をおいて離間保持される位置では、ピン３５ｂは、ロータの円周壁から突出した状態にあり、カム面２５ｅと係合可能に保持されている位置では、ピン３５ｂは、ロータの円周壁の内部に没した状態にある。
【００３９】
また、前記プレート３７の下端位置には、上記実施形態と同様、前方側に向けて次第に上昇するように傾斜舌片３７ｃが形成されており、この傾斜舌片３７ｃは、前記壁部３０ｅの下端領域に形成された切欠き３０ｇを介して前方側に露出しており、前記切換え部材２５が前方に向けて移動された際、その表面２５ａと面接触して、その傾斜関係により、プレート３７を下方に押し下げる役目を有している。
【００４０】
前記操作部材４３の端部側には、摺動軸２０に突設されたピン部材２０ａに嵌る切欠き溝４３ｂが形成されており、操作部材４３の回動操作（引き上げ操作／押し下げ操作）は、直接、摺動軸２０に作用するようになっている。
【００４１】
上記した構成のクローズドフェースリールの作用効果について説明する。  
図７は、釣糸巻き取り可能状態であり、釣糸Ｓは、ピックアップピン３５のピン３５ｂに係止され、ロータ３０が回転駆動されることによって、スプール３に巻回される状態となっている。このとき、ピックアップピン３５の本体部３５ａは、振り分けバネ４８によるプレート３７の振り分け保持によって切換え部材２５のカム面２５ｅから離間した状態にあり、ピン３５ｂは、ロータ３０の円周壁３０ａの表面から突出している。
【００４２】
この状態から、操作部材４３の操作部４３ａを引き上げて回動操作すると、操作部材４３は、操作部材を常時反時計回り方向に付勢している付勢バネ４５の付勢力に抗して時計回り方向に回動され、摺動軸２０を付勢バネ２２の付勢力に抗してスプール側に移動させる。これに伴い、切換え部材２５も一体的に移動され、その表面２５ａがプレート３７の傾斜舌片３７ｃと面接触するようになり、その傾斜関係により、プレート３７を下方に押し下げる。このプレート３７の押し下げ作用によって、振り分けバネ４８のデッドポイントを超え、ロータ３０の円周壁３０ａから突出した状態にあるピン３５ｂは、ロータ３０の内部に沈み込む（図１０参照）。
【００４３】
なお、切換え部材２５は釣糸挟持機能を備えていることから、釣糸Ｓは、切換え部材の表面２５ａとカバー部材４０の内面との間で挟持された状態で、釣糸挿通孔４０ａから導出される。
【００４４】
この状態で、釣竿をキャスティングしながら操作部材４３の操作部４３ａから指を離すと、釣糸の挟持状態が解消されて、仕掛けが放出される。このとき、摺動軸２０及び操作部材４３は、各付勢バネ２２，４５の付勢力によって、図１１に示す状態に戻されており、切換え部材２５は、そのカム面２５ｅがピックアップピンの本体部３５ａに当て付いてカム作用（押し上げ作用）を与えることが可能な状態となっている。
【００４５】
そして、この状態で、図１２に示すように、操作部材４３の操作部４３ａを押し下げ操作すると、摺動軸２０は、リール本体側に移動され、本体部３５ａは、カム面２５ｅのカム作用によって、プレート３７と共に押し上げられる。そして、さらにカム作用によって押し上げられると、振り分けバネ４８のデッドポイントを超え、図８に示す状態に戻される。このとき、ピックアップピンは、ロータ３０の円周壁３０ａから突出して釣糸Ｓをピックアップできる状態に保持されると共に、本体部３５ａは、振り分けバネ４８によるプレートの振り分け保持によって、切換え部材２５の外周から離間した状態にある。
【００４６】
このような構成においても、クラッチＯＦＦからクラッチＯＮへの復帰は、リール本体を握持している手の指で直ちに行なうことが可能であり、上記した実施形態と同様、仕掛けの放出中であっても、迅速にクラッチＯＮに切換えて、素早い竿の合わせ操作を確実かつ容易に行なえるようになる。
【００４７】
また、本実施形態の構成によれば、振り分けバネ４８を用いたことにより、全体的な構成が簡略化されると共に、釣糸巻き取り操作時におけるロータ回転時において、ピックアップピン３５の本体部３５ａを切換え部材に対して、接触しないように離間保持させることが可能になるため、ハンドル巻き取り操作時に、ピックアップピンに摩擦抵抗が加わることがなくなって、ピックアップピンが磨耗することなく、ハンドルの軽快な巻き取り操作が行なえるようになる。
【００４８】
図１３〜図２０は、本発明の第３の実施形態を示す図であり、図１３は、釣糸巻き取り時における内部構成を示す図、図１４は、図１３のＥ−Ｅ線に沿った断面図、図１５は、操作部材を押し込み操作した際の内部構成を示す図、図１６は、図１５に示す状態から操作部材をさらに押し込み操作して釣糸を挟着した際の内部構成を示す図、図１７は、釣糸放出状態の内部構成を示す図、図１８は、図１７のＦ−Ｆ線に沿った断面図、図１９は、操作部材を初期位置に戻した際の内部構成を示す図、そして、図２０は、図１９のＧ−Ｇ線に沿った断面図である。
【００４９】
上述した実施形態では、ロータを前後動させることなく、摺動軸２０の先端に切換え部材を装着していたが、本実施形態のように、ロータ自体を摺動軸２０に装着して前後動させるような構成のクローズドフェースリールにも適用することが可能である。
【００５０】
図１３に示すように、リール本体２内には、釣糸が巻回されるスプール３が固定されており、このスプール３には、軸方向に貫通孔が形成されて、ここに、軸受１３及び一方向クラッチ１７を介して、釣糸巻き取り方向に回転可能な摺動軸２０が軸方向に移動可能に支持されている。この摺動軸２０の基端側には、ハンドルの回転操作と共に回転するフェースギヤ１１と噛合するようにピニオン１５ａが装着されており、また、摺動軸２０の基端部には、クラッチ付勢バネ２２が配設されて、摺動軸２０を、常時、後方側に向けて付勢している。
【００５１】
リール本体２の後方側には、支軸５９を介してプッシュ式の操作部材６０が回動可能に軸支されており、操作部材６０の端部側には、摺動軸２０に突設されたピン部材２０ａに嵌る切欠き溝６０ａが形成されている。これにより、操作部材６０の手前側の操作部６０ｂを押し込み操作することで、摺動軸２０を付勢バネ２２の付勢力に抗して前方側に摺動させることができ、また、上方側に突出形成された復帰操作部６０ｃを押し込み操作することで、摺動軸２０を後方側に摺動させることが可能となっている。すなわち、操作部材６０の操作部６０ｂ及び復帰操作部６０ｃを押し込む回動操作は、直接、摺動軸２０に作用するようになっている。
【００５２】
また、摺動軸２０の前方側には、制動装置６３を介在させてスプール側に開口する蓋状に形成されたロータ３０が回転可能に装着されており、摺動軸２０の回転と共に、ロータ３０が回転可能となっている。ロータ３０の前面には、釣糸放出操作時に、後述するカバー部材の内面との間で釣糸を挟持するようにリング状の挟着部材６５が取着されている。
【００５３】
前記ロータ３０の円周壁３０ａには、その表面から出没自在となるように、ピックアップピン３５が配設されている。  
本実施形態におけるピックアップピン３５は、ロータ内に位置する本体部３５ａと、円周壁３０ａに形成された孔３０ｄ内に位置し、釣糸をピックアップするピン３５ｂとによって構成されており、本体部３５ａには径方向に延出する長孔３５ｃが形成されている。そして、この長孔３５ｃには、ロータ３０の前面壁３０ｂに螺入される支持ネジ３６が配設されており、これにより、ピックアップピン３５は、径方向に移動可能となるようにロータ３０に支持されている。
【００５４】
また、本体部３５ａには、図１４に示すように、略半リング形状のプレート６７が固定されている。このプレート６７は、ロータ３０の前面壁３０ｂにスライド可能に装着されており、その両サイドにおいて、それぞれ前記本体部３５ａに形成された長孔３５ｃと同方向に延出形成された長孔６７ａに、案内ピン６８を装着することで、長孔に沿ってスライド可能となっている。また、プレート６７の両端（ピックアップピン３５が保持される位置から両側略９０°の位置）には、ロータの前面壁との間で振り分けバネ７０が取り付けられており、プレート６７は、その振り分けバネ７０によって、摺動軸に対して直交する方向で２つの位置で振り分け保持されるようになっている。
【００５５】
この場合、振り分け保持される位置は、振り分けバネのデッドポイントを境にして、ピックアップピン３５がロータから突出する位置（クラッチＯＮ位置）と、ピックアップピン３５がロータ内に沈み込む位置（クラッチＯＦＦ位置）に設定されている。そして、前記スプール３の前面には、前方側に向けて次第に縮径する傾斜面（カム面）３ａが形成されている。このカム面３ａは、ロータ３０が付勢バネ２２の付勢力によって後方に移動された際、その移動途中でロータ内に没した状態にあるピックアップピン３５の本体部３５ａと係合可能であり、さらに強制的に摺動軸２０を後方に移動させることで、そのカム面３ａにより、本体部３５ａを上方に押し上げできるように構成されている。
【００５６】
前記リール本体２の前方側には、スプール３及びロータ３０を覆うと共に、前方において釣糸Ｓを導出するための釣糸挿通孔８０ａが形成されたカバー部材８０が着脱可能に配設されている。このカバー部材８０には、その内面に、前記ロータ３０が前方に移動された際、ロータから突出するピン３５ｂに係合して、ピックアップピン３５を下方に押し下げる傾斜面８０ｂが形成されている。
【００５７】
上記したように構成されたクローズドフェースリールの作用効果について説明する。  
図１３及び図１４は、釣糸巻き取り可能状態であり、釣糸Ｓは、ピックアップピン３５のピン３５ｂに係止され、ロータ３０が回転駆動されることによって、スプール３に巻回される。このとき、ピックアップピン３５の本体部３５ａは、振り分けバネ７０によるプレート６７の振り分け保持によって、スプール３の前面に一体形成されたカム面３ａからは離間した状態にあり、ピン３５ｂは、ロータ３０の円周壁３０ａの表面から突出している。
【００５８】
この状態から、操作部材６０の操作部６０ｂを押圧操作することで、摺動軸２０を付勢バネ２２の付勢力に抗してスプール側に移動させる。これに伴い、ロータ３０も一体的に移動され、ピン３５ｂは、カバー部材８０の内面に形成された傾斜面８０ｂにより押し下げられる（図１５参照）。そして、この押し下げ作用によって、それと共に移動するプレート６７は、振り分けバネ７０のデッドポイントを超え、ロータ３０の円周壁３０ａから突出した状態にあるピン３５ｂは、ロータ３０の内部に沈み込んだ状態に保持される（図１６参照）。また、このとき、釣糸Ｓは、挟着部材６５とカバー部材８０の内面との間で挟持された状態で、釣糸挿通孔８０ａから導出される。
【００５９】
この状態で、釣竿をキャスティングしながら操作部材６０から指を離すと、釣糸の挟持状態が解消されて、仕掛けが放出される（図１７，図１８参照）。このとき、摺動軸２０は、付勢バネ２２の付勢力によって、リール本体側に移動され、ピックアップピンの本体部３５ａはスプール前面に形成されたカム面３ａに当て付いて後方への移動が規制された状態となっている（クラッチＯＦＦ状態の維持）。
【００６０】
そして、この状態で、図１９に示すように、操作部６０の復帰操作部６０ｃを押圧操作すると、ピックアップピン３５は、本体部３５ａとカム面３ａとのカム作用によってプレート６７と共に押し上げられる。そして、さらにカム作用によって押し上げられると、振り分けバネ７０のデッドポイントを超え（図２０参照）、ロータ３０の円周壁３０ａから突出して釣糸Ｓをピックアップできる状態に振り分け保持される（図１３参照）。
【００６１】
なお、このとき、ピックアップピン３５の本体部３５ａは、振り分けバネ７０によるプレート６７の振り分け保持によってカム面３ａから離間した状態にある。そして、ハンドルを巻き取り操作することで、釣糸は、ロータ３０のピン３５ｂに案内されながらスプール３に巻回されて行く。
【００６２】
このような構成においても、クラッチＯＦＦからクラッチＯＮへの復帰は、リール本体を握持している手の指で直ちに行なうことが可能であり、上記した実施形態と同様、仕掛けの放出中であっても、迅速にクラッチＯＮに切換えて、素早い竿の合わせ操作を確実かつ容易に行なえるようになる。また、本実施形態においても、釣糸巻き取り操作時におけるロータ回転時において、ピックアップピン３５の本体部３５ａは、カム面３ａに摩擦接触しないで回転可能であるため、ハンドル巻き取り操作時に、ピックアップピンに摩擦抵抗が加わることがなくなって、ハンドルの軽快な巻き取り操作が行なえると共に、ピックアップピンが磨耗することがなくなる。
【００６３】
以上、本発明の実施形態について説明したが、本発明は、リール本体に設けた操作部材の操作によって、クラッチＯＮからＯＦＦへの切換え、及びクラッチＯＦＦからＯＮへの切換えができるように構成されていれば、その操作部材の形状、支持方法等、上記した実施形態に限定されることはなく、種々変形することが可能である。また、リール本体の各種構成部材については、適宜変形することが可能である。
【図面の簡単な説明】
【００６４】
【図１】本発明に係るクローズドフェースリールの第１の実施形態を示す図であり、釣糸巻き取り時における内部構成を示す図。
【図２】図１のＡ−Ａ線に沿った断面図。
【図３】操作部材を引き上げ操作した際の内部構成を示す図。
【図４】図３のＢ−Ｂ線に沿った断面図。
【図５】操作部材を初期位置に戻した際の内部構成を示す図。
【図６】操作部材を押し下げ操作した際の内部構成を示す図。
【図７】本発明に係るクローズドフェースリールの第２の実施形態を示す図であり、釣糸巻き取り時における内部構成を示す図。
【図８】図７のＣ−Ｃ線に沿った断面図。
【図９】操作部材を引き上げ操作した際の内部構成を示す図。
【図１０】図９のＤ−Ｄ線に沿った断面図。
【図１１】操作部材を初期位置に戻した際の内部構成を示す図。
【図１２】操作部材を押し下げ操作した際の内部構成を示す図。
【図１３】本発明に係るクローズドフェースリールの第３の実施形態を示す図であり、釣糸巻き取り時における内部構成を示す図。
【図１４】図１３のＥ−Ｅ線に沿った断面図。
【図１５】操作部材を押し込み操作した際の内部構成を示す図。
【図１６】図１５に示す状態から操作部材をさらに押し込み操作して釣糸を挟着した際の内部構成を示す図。
【図１７】釣糸放出状態の内部構成を示す図。
【図１８】図１７のＦ−Ｆ線に沿った断面図。
【図１９】操作部材を初期位置に戻した際の内部構成を示す図。
【図２０】図１９のＧ−Ｇ線に沿った断面図。
【符号の説明】
【００６５】
１  クローズドフェースリール
２  リール本体
３  スプール
２５  切換え部材
３０  ロータ
３５  ピックアップピン
４３，６０  操作部材
【図１】
2005102524.tif 000003
【図２】
2005102524.tif 000004
【図３】
2005102524.tif 000005
【図４】
2005102524.tif 000006
【図５】
2005102524.tif 000007
【図６】
2005102524.tif 000008
【図７】
2005102524.tif 000009
【図８】
2005102524.tif 000010
【図９】
2005102524.tif 000011
【図１０】
2005102524.tif 000012
【図１１】
2005102524.tif 000013
【図１２】
2005102524.tif 000014
【図１３】
2005102524.tif 000015
【図１４】
2005102524.tif 000016
【図１５】
2005102524.tif 000017
【図１６】
2005102524.tif 000018
【図１７】
2005102524.tif 000019
【図１８】
2005102524.tif 000020
【図１９】
2005102524.tif 000021
【図２０】
2005102524.tif 000022